(57)【特許請求の範囲】
【請求項１】
ランプから射出された光を画像情報に応じて変調して投写する画像投写部と、
前記ランプの点灯時間を計測する点灯時間計測部と、
前記ランプ点灯時間が寿命警告時間を越えた場合にセットされるランプ寿命警告フラグを記憶する記憶部と、
当該プロジェクターの本体に備えられ、入力操作を受け付ける本体操作部と、
当該プロジェクターを遠隔操作するためのリモコンから送信される操作信号を受信する操作信号受信部と、
前記本体操作部が受け付けた前記入力操作、および前記操作信号受信部が受信した操作信号に基づいて、当該プロジェクターの動作を制御する制御部と、を備え、
前記制御部は前記点灯時間が前記警告時間を越えた場合に前記ランプ寿命警告フラグをセットし、
前記制御部は当該プロジェクターが電源オフの状態において、前記ランプ寿命警告フラグがセットされている場合、前記リモコンによる電源オン操作を検出した場合にこれを無効にし、
前記制御部は、当該プロジェクターが電源オフの状態において、前記ランプ寿命警告フラグがセットされている場合、前記本体操作部による電源オン操作を受け付けた場合、当該プロジェクターを起動した後、ランプ交換を促す警告メッセージを前記画像投写部に投写させることを特徴とする、プロジェクター。
【請求項２】
請求項１に記載のプロジェクターであって、
当該プロジェクターが電源オフの状態において、前記ランプ寿命警告フラグがセットされている場合に、ランプの交換が必要であることをユーザーに通知する第１の報知を行う報知部を備えたことを特徴とする、プロジェクター。
【請求項３】
請求項２に記載のプロジェクターであって、
前記報知部は、当該プロジェクターが電源オフの状態において、前記ランプ寿命警告フラグがセットされている場合、前記リモコンによる電源オン操作を検出した場合に、さらに、前記リモコンによる電源オン操作が無効であることを示す第２の報知であって、前記第１の報知とは区別される前記第２の報知を行うことを特徴とする、プロジェクター。
【請求項４】
請求項１から３のいずれか一項に記載のプロジェクターであって、
前記ランプが交換されたことを検出するランプ交換検出部をさらに備え、
前記制御部は、当該プロジェクターが電源オフの状態において、前記ランプ交換検出部により、前記ランプが交換されたことを検出した場合に、前記ランプ寿命警告フラグをクリアすることを特徴とする、プロジェクター。
【請求項５】
ランプから射出された光を画像情報に応じて変調して投写する画像投写部と、
前記ランプの点灯時間を計測する点灯時間計測部と、
前記ランプ点灯時間が寿命警告時間を越えた場合にセットされるランプ寿命警告フラグを記憶する記憶部と、
当該プロジェクター本体に備えられ、入力操作を受け付ける本体操作部と、
当該プロジェクターを遠隔操作するためのリモコンから送信される操作信号を受信する操作信号受信部と、を備えたプロジェクターの制御方法であって、
前記ランプ点灯時間が前記警告時間を越えた場合に前記ランプ寿命警告フラグをセットするランプ寿命警告検出ステップと、
当該プロジェクターが電源オフの状態において、前記ランプ寿命警告フラグがセットされている場合、前記制御部が前記リモコンから送信される操作信号による電源オン操作を受け付けた場合、該操作を無効にする電源オン無効ステップと、
当該プロジェクターが電源オフの状態において、前記ランプ寿命警告フラグがセットされている場合、前記本体操作部による電源オン操作を受け付けた場合、当該プロジェクターを起動した後、ランプ交換を促す警告メッセージを前記画像投写部に投写させるステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
光源ランプを使用して画像を投写するプロジェクターにおいて、光源ランプには寿命があるため、特許文献１、及び特許文献２のように、光源ランプの累積点灯時間をメモリーに保存し、光源ランプの累積点灯時間が予め設定した時間に到達したら、光源ランプの交換を促す警告表示を行う方法が示されている。
【先行技術文献】
【特許文献】
【０００３】
【特許文献１】特開平４−２５０４３７号公報
【特許文献２】特開２００２−２８７２４３号公報
【発明の概要】
【発明が解決しようとする課題】
【０００４】
しかしながら、デモンストレーションなどにおいて、ユーザーがプロジェクターから離れた場所で、リモートコントローラー（リモコン）により遠隔操作している場合では、警告表示自体を見落としてしまい、光源ランプの累積点灯時間が設定した時間に到達しているにもかかわらず、プロジェクターを使い続けてしまう虞があった。そのために、プロジェクターの使用中に光源ランプが切れてしまうといった虞もあった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、ランプから射出された光を画像情報に応じて変調して投写する画像投写部と、前記ランプの点灯時間を計測する点灯時間計測部と、前記ランプ点灯時間が寿命警告時間を越えた場合にセットされるランプ寿命警告フラグを記憶する記憶部と、当該プロジェクターの本体に備えられ、入力操作を受け付ける本体操作部と、当該プロジェクターを遠隔操作するためのリモコンから送信される操作信号を受信する操作信号受信部と、前記本体操作部が受け付けた前記入力操作、および前記操作信号受信部が受信した操作信号に基づいて、当該プロジェクターの動作を制御する制御部と、を備え、前記制御部は前記点灯時間が前記警告時間を越えた場合に前記ランプ寿命警告フラグをセットし、前記制御部は当該プロジェクターが電源オフの状態において、前記ランプ寿命警告フラグがセットされている場合、前記リモコンによる電源オン操作を検出した場合にこれを無効にし、前記制御部は、当該プロジェクターが電源オフの状態において、前記ランプ寿命警告フラグがセットされている場合、前記本体操作部による電源オン操作を受け付けた場合、当該プロジェクターを起動した後、ランプ交換を促す警告メッセージを前記画像投写部に投写させることを特徴とする。
【０００７】
本適用例によれば、プロジェクターのランプの点灯時間が寿命警告時間を越えた場合にランプ寿命警告フラグがセットされ、電源オフ状態でリモコンによる電源オン操作を検出した場合に無効となる。これにより、ランプ点灯時間が寿命警告時間到達後にリモコンを使った電源オン操作が禁止されるので、ユーザーがプロジェクターから離れた場所で遠隔操作している場合でも、警告を見落としてプロジェクターを使い続けてしまうことを防止することが可能になる。
【０００８】
［適用例２］上記適用例に記載のプロジェクターにおいて、当該プロジェクターが電源
オフの状態において、前記ランプ寿命警告フラグがセットされている場合に、ランプの交換が必要であることをユーザーに通知する第１の報知を行う報知部を備えたことを特徴とする。
【０００９】
本適用例によれば、ランプ点灯時間が寿命警告時間到達後、電源オフ状態でもランプ寿命警告状態が報知されるので、電源オフ状態でも、ランプの交換が必要であることをユーザーに通知することが可能となる。
【００１０】
［適用例３］上記適用例に記載のプロジェクターにおいて、前記報知部は、当該プロジェクターが電源オフの状態において、前記ランプ寿命警告フラグがセットされている場合、前記リモコンによる電源オン操作を検出した場合に、さらに、前記リモコンによる電源オン操作が無効であることを示す前記第１の報知と区別される第２の報知であって、前記第１の報知とは区別される前記第２の報知を行うことを特徴とする。
【００１１】
本適用例によれば、ランプ点灯時間が寿命警告時間到達後、リモコンを使って電源オン操作をしようとした場合に無効となり、さらに報知されるので、ユーザーにランプの交換を促すことが可能となる。
【００１４】
［適用例５］上記適用例に記載のプロジェクターにおいて、前記ランプが交換されたことを検出するランプ交換検出部をさらに備え、前記制御部は、当該プロジェクターが電源オフの状態において、前記ランプ交換検出部により、前記ランプが交換されたことを検出した場合に、前記ランプ寿命警告フラグをクリアすることを特徴とする。
【００１５】
本適用例によれば、ランプの交換を検出した場合、ランプ寿命警告フラグがクリアされるので、ランプ寿命警告状態になった場合、ランプを交換するだけで、特別な設定を行わずにプロジェクターの使用を再開することが可能となる。
【００１６】
［適用例６］本適用例に係るプロジェクターの制御方法は、ランプから射出された光を画像情報に応じて変調して投写する画像投写部と、前記ランプの点灯時間を計測する点灯時間計測部と、前記ランプ点灯時間が寿命警告時間を越えた場合にセットされるランプ寿命警告フラグを記憶する記憶部と、当該プロジェクター本体に備えられ、入力操作を受け付ける本体操作部と、当該プロジェクターを遠隔操作するためのリモコンから送信される操作信号を受信する操作信号受信部と、を備えたプロジェクターの制御方法であって、前記ランプ点灯時間が前記警告時間を越えた場合に前記ランプ寿命警告フラグをセットするランプ寿命警告検出ステップと、当該プロジェクターが電源オフの状態において、前記ランプ寿命警告フラグがセットされている場合、前記制御部が前記リモコンから送信される操作信号による電源オン操作を受け付けた場合、該操作を無効にする電源オン無効ステップと、当該プロジェクターが電源オフの状態において、前記ランプ寿命警告フラグがセットされている場合、前記本体操作部による電源オン操作を受け付けた場合、当該プロジェクターを起動した後、ランプ交換を促す警告メッセージを前記画像投写部に投写させるステップと、を有することを特徴とする。
【００１７】
本適用例によれば、プロジェクターのランプの点灯時間が寿命警告時間を越えた場合にランプ寿命警告フラグがセットされ、電源オフ状態でリモコンによる電源オン操作を検出した場合に無効となる。これにより、ランプ点灯時間が寿命警告時間到達後にリモコンを使った電源オン操作が禁止されるので、ユーザーがプロジェクターから離れた場所で操作している場合でも、警告を見落としてプロジェクターを使い続けてしまうことを防止することが可能となる。
【図面の簡単な説明】
【００１８】
【図１】プロジェクターの回路構成を示すブロック図。
【図２】プロジェクターの電源オン時の動作を示すフローチャート。
【図３】プロジェクターに商用電源が供給されたときの動作を示すフローチャート。
【図４】プロジェクターのランプ点灯時間が警告時間に到達したときの動作を示すフローチャート。
【図５】プロジェクターの電源オフ時の動作を示すフローチャート。
【図６】ランプ寿命警告時に投写するメッセージを示す図。（ａ）はリモコンによる電源オン禁止を警告するメッセージを示し、（ｂ）は動作中のランプ寿命到達時に警告するメッセージを示す図。
【図７】プロジェクターの本体操作部のキーを示す図。
【図８】プロジェクターのリモコンの操作キーを示す図。
【発明を実施するための形態】
【００１９】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００２０】
（第１実施形態）
図１は、本実施形態のプロジェクターの回路構成を示すブロック図である。
図１に示すように、プロジェクター１は、画像投写部１０、制御部２０、記憶部２１、光源制御部２２、本体操作部２３、操作信号受信部２４、画像信号入力部５、画像信号処理部３、ＯＳＤ処理部４、電源端子６、電源部７、報知部３０、ランプ交換検出部４０等で構成されており、これらは図示しない筐体の内部に収容されている。
【００２１】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
また、光源１１は、交換可能なユニットとして構成されている。
【００２３】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２４】
なお、上記実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２６】
また制御部２０は、点灯時間計測部に相当するタイマー２０ａを備え、光源ランプ１１ａの点灯時間を計測する。計測した点灯時間は、記憶部２１にランプ点灯時間２１ａとして保存される。
プロジェクター１が起動し、光源制御部２２に指示して、光源ランプ１１ａを点灯すると、制御部２０はタイマー２０ａによる計時を開始し、計時した点灯時間はランプ点灯時間２１ａに加算される。
【００２７】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
【００２８】
本実施形態では、光源ランプ１１ａの累積点灯時間であるランプ点灯時間２１ａと、ランプ点灯時間２１ａが所定の寿命警告時間（例えば２０００時間）を越えた場合にセット（ＯＮ）されるランプ寿命警告フラグ２１ｂが記憶部２１に保存される。
【００２９】
本体操作部２３は、プロジェクター１の本体筐体外面に備えられ、ユーザーからの入力操作を受け付けるものであり、ユーザーがプロジェクター１に対して各種指示を行うための複数の操作キーを備えている。
【００３０】
図７に示すように、本体操作部２３が備える操作キーとしては、電源のオン・オフを交互に切り替えるための電源キー２３ａや、画像信号入力部５に入力される複数の画像入力端子を切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
ユーザーが本体操作部２３の各種操作キーを操作すると、本体操作部２３は、ユーザーの操作内容に応じた操作信号を制御部２０に出力する。
【００３１】
操作信号受信部２４は、遠隔操作で入力操作を行うリモートコントローラー（リモコン／ＲＣとも称する）２５からの操作信号を受信し、ユーザーの操作内容に応じた、操作信号を制御部２０に出力する。
【００３２】
図８に示すように、リモコン２５が備える操作キーとしては、本体操作部２３と同等である、電源キー２５ａ、入力切替キー２５ｂ、メニューキー２５ｃ、カーソルキー２５ｄ、決定キー２５ｅ、エスケープキー２５ｆ、ヘルプキー２５ｇのキーに加え、画面ミュートキー２５ｈ、画面縦横比切替キー２５ｉ、カラーモード切替キー２５ｊ、番号入力キー２５ｋ等がある。
【００３３】
ランプ交換検出部４０は、メカニカルまたは電気的なスイッチなどで構成され、光源１１がプロジェクター１から外されたことを検出し、制御部２０に通知する。具体的には、ランプ交換検出部４０は制御部２０の指示により、ランプ交換監視状態に設定され、光源１１が外されると、ランプ交換検出状態になる。制御部２０はランプ交換検出部４０が、ランプ交換検出状態になっていることで光源１１が取り外され、再度取り付けられたことを検出する。
【００３４】
画像信号入力部５は、上述したように複数の画像入力端子を備えており、各画像入力端子より、ビデオ再生装置やパーソナルコンピューター等、外部の画像出力装置から、図示しないケーブルを介して画像情報が入力される。
【００３５】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
【００３７】
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３８】
液晶駆動部１４は、本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３９】
電源部７には、ＡＣ１００Ｖ等の電力が電源端子６を介して外部から供給される。電源部７は、例えば商用電源（交流電源）を所定の電圧の直流電源に変換して、プロジェクター１の各部に電力を供給する。また、電源部７は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
報知部３０は、ＬＥＤ（Light emitting diode）や、ブザーなどで構成され、制御部２０の指示によりランプ寿命警告状態を報知する。報知部３０が報知する報知状態としては、プロジェクター１が電源オフの状態においてランプ寿命警告フラグ２１ｂがセットされている場合に報知する第１報知と、第１報知の状態において、リモコンによる電源オン操作を検出した場合に報知する第２報知がある。これら２つの報知はＬＥＤによる点灯パターン、発光色やブザーの鳴動パターンなどで区別される。
【００４１】
光源制御部２２は、制御部２０の指示に基づいて、光源１１に対する電力の供給と停止とを制御し、光源１１の点灯、及び消灯を切り替える。
【００４２】
本実施形態のプロジェクター１は、上記のように構成されているため、電源端子６に電源ケーブル（図示せず）が接続され、電源部７に電力が供給されると、電源部７は、少なくとも制御部２０、記憶部２１、本体操作部２３、及び操作信号受信部２４に電力（スタンバイ電力）の供給を行い、制御部２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、本体操作部２３、又はリモコン２５に備わる電源キーがユーザーにより操作されると、制御部２０は、電源部７に指示をして、各部への動作電力の供給を開始させ、プロジェクター１を電源オン状態に移行させる。
【００４３】
次に、本実施形態のプロジェクター１の動作を、図２から図５のフローチャートを用いて説明する。
（電源オン操作）
図２はプロジェクター１の電源オン時の動作を示すフローチャートである。
図２に示すように、プロジェクター１がスタンバイ状態において、本体操作部２３、又はリモコン２５の操作信号により電源オン（ＯＮ）操作を検出すると（ステップＳ１０１）、制御部２０は、ランプ寿命警告フラグ２１ｂがセット（ＯＮ）されているか否かを調べる（ステップＳ１０２）。
ランプ寿命警告フラグ２１ｂがセット（ＯＮ）されている場合（ステップＳ１０２：Ｙ）、ステップＳ１０３に遷移する。ランプ寿命警告フラグ２１ｂがセットされていない場合（ステップＳ１０２：Ｎ）、ステップＳ１０７に遷移する。
【００４４】
ステップＳ１０３において制御部２０は、ステップＳ１０１において検出された電源オン（ＯＮ）操作がリモコン２５によるものか否かを調べる。リモコン２５の電源オン操作による場合（ステップＳ１０３：Ｙ）、ステップＳ１０５に遷移する。
リモコン２５による電源オン操作でない場合、即ち本体操作部２３の電源オン操作による場合（ステップＳ１０３：Ｎ）、ステップＳ１０４に遷移する。
【００４５】
ステップＳ１０５において制御部２０は、報知部３０に所定時間（例えば５秒）、第２報知を行わせた後、プロジェクター１をスタンバイ状態に移行させ（ステップＳ１０６）、本動作フローを終了する。
【００４６】
ステップＳ１０４において制御部２０は、報知部３０による報知を終了させ、ステップＳ１０７に遷移する。
【００４７】
ステップＳ１０７において制御部２０は、光源制御部２２により光源１１を点灯させ、プロジェクター１を電源オン（ＯＮ）状態に移行させた後、ステップＳ１０８に遷移する。
【００４８】
ステップＳ１０８において制御部２０は、ランプ寿命警告フラグ２１ｂがセット（ＯＮ）されているか否かを調べる。
ランプ寿命警告フラグ２１ｂがセットされている場合（ステップＳ１０８：Ｙ）、ランプ寿命によりリモコンによる電源オンが禁止されている警告メッセージＭ１を画像投写部１０に投写させ（ステップＳ１０９）、ステップＳ１１０に遷移する。このときの警告メッセージＭ１を図６（ａ）に示す。
一方、ランプ寿命警告フラグ２１ｂがセットされていない場合（ステップＳ１０８：Ｎ）、ステップＳ１１０に遷移する。
【００４９】
ステップＳ１１０において制御部２０は、ランプ交換検出部４０が光源１１の交換を検出したか否かを調べる。光源１１の交換を検出している場合（ステップＳ１１０：Ｙ）、ステップＳ１１１に遷移する。光源１１の交換を検出していない場合（ステップＳ１１０：Ｎ）、ステップＳ１１３に遷移する。
【００５０】
ステップＳ１１１において制御部２０は、ランプ点灯時間２１ａをリセットし、次にランプ寿命警告フラグ２１ｂをクリア（ＯＦＦ）し、ステップＳ１１２に遷移する。
【００５１】
ステップＳ１１２において制御部２０は、ランプ交換検出部４０をランプ交換監視状態に設定し、ステップＳ１１３に遷移する。
【００５２】
ステップＳ１１３において本動作フローを終了する。
【００５３】
（電力供給）
図３はプロジェクター１に電力が供給されたときの動作を示すフローチャートである。
図３に示すように、プロジェクター１に交流電源（ＡＣ）が接続されることで電力が供給されると（ステップＳ２０１）、制御部２０は、ランプ交換検出部４０が光源１１の交換を検出したか否かを調べる（ステップＳ２０２）。
光源１１の交換を検出している場合（ステップＳ２０２：Ｙ）、ステップＳ２０３に遷移する。交換を検出していない場合（ステップＳ２０２：Ｎ）、ステップＳ２０４に遷移する。
【００５４】
ステップＳ２０３において制御部２０は、ランプ寿命警告フラグ２１ｂをクリアし、ステップＳ２０５に遷移する。
【００５５】
ステップＳ２０４において制御部２０は、ランプ寿命警告フラグ２１ｂがセット（ＯＮ）されているか否かを調べる。ランプ寿命警告フラグ２１ｂがセットされている場合（ステップＳ２０４：Ｙ）、ステップＳ２０６に遷移する。ランプ寿命警告フラグ２１ｂがセットされていない場合（ステップＳ２０４：Ｎ）、ステップＳ２０５に遷移する。
【００５６】
ステップＳ２０５において制御部２０は、報知部３０による報知を終了させ、ステップＳ２０７に遷移する。
【００５７】
ステップＳ２０６において制御部２０は、報知部３０に第１報知を行わせ、ステップＳ２０７に遷移する。
【００５８】
ステップＳ２０７において制御部２０は、プロジェクター１をスタンバイ状態に移行させ、本動作フローを終了する。
【００５９】
（ランプ寿命到達）
図４はプロジェクター１の動作中にランプ点灯時間２１ａが寿命警告時間に到達したときの動作を示すフローチャートである。
図４に示すように、プロジェクター１の投写中にランプ点灯時間２１ａが寿命警告時間に到達したことを制御部２０が検出すると（ステップＳ３０１）、制御部２０は、ランプ寿命警告フラグ２１ｂをセット（ＯＮ）し（ステップＳ３０２）、ステップＳ３０３に遷移する。
【００６０】
ステップＳ３０３において制御部２０は、ランプ点灯時間２１ａが寿命警告時間に到達したことを通知する警告メッセージＭ２を画像投写部１０に投写させ、ステップＳ３０４に遷移する。このときの警告メッセージＭ２を図６（ｂ）に示す。
【００６１】
ステップＳ３０４において本動作フローを終了する。
【００６２】
（電源オフ操作）
図５はプロジェクター１の電源オフ時の動作を示すフローチャートである。
図５に示すように、プロジェクター１が投写中に、本体操作部２３、またはリモコン２５の操作信号により電源オフ操作を検出すると（ステップＳ４０１）、制御部２０は、光源制御部２２により光源ランプ１１ａを消灯させ（ステップＳ４０２）、ステップＳ４０３に遷移する。
【００６３】
ステップＳ４０３において制御部２０は、ランプ寿命警告フラグ２１ｂがセット（ＯＮ）されているか否かを調べる。ランプ寿命警告フラグ２１ｂがセットされている場合（ステップＳ４０３：Ｙ）、制御部２０は報知部３０に第１報知を行わせ（ステップＳ４０４）、ステップＳ４０５に遷移する。一方、ランプ寿命警告フラグ２１ｂがセットされていない場合（ステップＳ４０３：Ｎ）、ステップＳ４０５に遷移する。
【００６４】
ステップＳ４０５において制御部２０は、プロジェクター１をスタンバイ状態に移行させ、本動作フローを終了する。
【００６５】
以上説明したように、本実施形態のプロジェクター１によれば、ランプ点灯時間２１ａが寿命警告時間を越えた場合にランプ寿命警告フラグ２１ｂがセットされ、電源オフ状態でリモコン２５による電源オン操作を検出した場合に無効となり、リモコン２５による電源操作が禁止される。これにより、ユーザーがプロジェクター１から離れた場所でリモコンなどにより遠隔操作している場合でも、警告を見落としてプロジェクター１を使い続けてしまうことを防止することが可能になる。
【００６６】
また、ランプ点灯時間２１ａが寿命警告時間到達後は、電源オフ状態で第１報知が、さらにリモコン２５を使って電源オン操作をしようとした場合は第２報知によりランプ寿命警告状態が報知されるので、ユーザーに光源ランプ１１ａの寿命到達を報知し、交換を促すことが可能となる。
また、上述した、リモコン２５による電源オン操作が禁止されている状態でも、本体操作部２３による電源オン操作でプロジェクター１を使用することができるので、交換用の光源ランプを準備するまでの間でもユーザーにランプ交換を促しながら使用することが可能となる。
また、光源ランプ１１ａの交換を検出した場合、ランプ寿命警告フラグ２１ｂがクリアされるので、ランプ寿命警告状態になった場合、光源ランプ１１ａを交換するだけで、特別な設定を行わずにプロジェクター１の使用を再開することが可能となる。
【００６７】
また、上記実施形態は、以下のように変更してもよい。
（変形例１）
上述した実施形態においては、ランプ寿命警告フラグ２１ｂがセットされた状態において、リモコン２５による電源オン操作を検出した場合に報知部３０により第２報知を行っているが、本体操作部２３による電源オン操作を検出した場合にも所定時間報知を行った後、電源をオンするようにしてもよい。
これにより、普段はリモコン２５を使わずに本体操作部２３によって電源オン操作を行っているユーザーにも、ランプ寿命警告状態を確実に通知することが可能となる。
【符号の説明】
【００６８】
１…プロジェクター、３…画像信号処理部、４…ＯＳＤ処理部、５…画像信号入力部、６…電源端子、７…電源部、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…ランプ点灯時間、２１ｂ…ランプ寿命警告フラグ、２２…光源制御部、２３…本体操作部、２４…操作信号受信部、２５…リモートコントローラー（リモコン／ＲＣ）、３０…報知部、４０…ランプ交換検出部。
【図１】
0005686002.tif 000002
【図２】
0005686002.tif 000003
【図３】
0005686002.tif 000004
【図４】
0005686002.tif 000005
【図５】
0005686002.tif 000006
【図６】
0005686002.tif 000007
【図７】
0005686002.tif 000008
【図８】
0005686002.tif 000009